(57)【要約】      （修正有）【課題】新規なかつ改良されたオープンルーフ構造体を提供する。【解決手段】オープンルーフ構造体は、固定ルーフ部１と、ルーフ開口と、ルーフ開口の開閉のために移動可能なパネル３とを備える。作動機構が固定ルーフ１に可動パネル３を接続しかつ固定ルーフ１に対して可動パネル３を移動させるために設けられ、作動機構は、可動パネル３に取り付けられた二つの長手方向屈曲部４’，５’と、ルーフ開口の対向する長手方向縁部に沿って延在する二つの固定ガイド４，５と、固定ガイド４，５を各屈曲部４’，５’に可動連結するための二つの連結手段と、を備える。固定ガイド４，５は、車両の上面から見て、固定ガイド同士４，５の間の距離が車両の異なる長手方向ポジションにおいて変化する屈曲様式で延在し、各屈曲部４’，５’は、可動様式に関連して取り付けられかつ垂直方向に延在する枢軸の周囲でパネルに対して回動可能な枢軸アーム８に取り付けられる。【選択図】図１
2011225213.tif 000002
【特許請求の範囲】
【請求項１】
車両のためのオープンルーフ構造体であって、
前記オープンルーフ構造体は、
固定ルーフ部と、そこに設けられるルーフ開口と、前記ルーフ開口の開放および閉鎖のそれぞれのために閉ポジションと開ポジションとの間で移動可能なパネルと、前記固定ルーフに前記可動パネルを接続しかつ前記固定ルーフに対して前記可動パネルを移動させるための作動機構とを具備してなり、
前記作動機構は、前記可動パネルに取り付けられた二つの長手方向屈曲部と、前記ルーフ開口の対向する長手方向縁部に沿って延在する二つの固定ガイドと、前記固定ガイドを前記各屈曲部に可動状態で連結するための二つの連結手段と、を少なくとも具備してなり、
前記固定ガイドは、前記車両の上面から見て、前記固定ガイド同士の間の距離が前記車両の異なる長手方向ポジションにおいて変化する屈曲様式で延在しており、
各屈曲部は、前記可動様式に関連して取り付けられかつ垂直方向に延在する枢軸の周囲で前記パネルに対して回動可能な枢軸アームに取り付けられていることを特徴とするオープンルーフ構造体。
【請求項２】
前記固定ガイドは、前方屈曲部と後方屈曲部とを具備してなり、かつ、各枢軸は、前記可動パネルの前記閉ポジションにおいてかつ上面図として見たときに、それが前記各固定ガイドの後方部分と重なるように、前記可動パネルの後方縁部に近接して配置されていることを特徴とする請求項１に記載のオープンルーフ構造体。
【請求項３】
前記枢軸に配置された前記枢軸アームの端部と対向する、前記枢軸アームの自由端が、前記可動パネルに取り付けられた屈曲ガイドと協働するものであることを特徴とする請求項１または請求項２に記載のオープンルーフ構造体。
【請求項４】
前記枢軸アームの前記自由端と前記屈曲ガイドは、それらの間の垂直方向の相対移動が防止されるように形状付けられかつそのように協働するものであることを特徴とする請求項３に記載のオープンルーフ構造体。
【請求項５】
前記枢軸アームの回動動作は付勢されたものであることを特徴とする請求項１ないし請求項４のいずれか一項に記載のオープンルーフ構造体。
【請求項６】
複数の前記枢軸アームの回動動作は関連付けられていることを特徴とする請求項１ないし請求項５のいずれか一項に記載のオープンルーフ構造体。
【請求項７】
前記屈曲部は、上面図として見て、前記各固定ガイドの曲率に実質的に対応する様式で屈曲されていることを特徴とする請求項１ないし６のいずれか一項に記載のオープンルーフ構造体。
【請求項８】
前記屈曲部は、垂直方向平面上に延在する中央プレートと、得られる曲率に従う可変幅を備えて、それから横方向に延在するガイドリブと、を具備してなることを特徴とする請求項７に記載のオープンルーフ構造体。
【請求項９】
前記屈曲部は、得られる曲率にしたがって屈曲平面上に延在する中央プレートと、一定の幅を備えて、それから横方向に延在するガイドリブと、を具備してなることを特徴とする請求項７に記載のオープンルーフ構造体。
【請求項１０】
前記作動機構は、前記固定ルーフ部に回転可能に接続された前記屈曲部と協働するためのガイド爪をさらに具備してなることを特徴とする請求項１ないし請求項９のいずれか一項に記載のオープンルーフ構造体。
【請求項１１】
前記連結機構は、前記固定ガイド内で移動するスライドをさらに具備してなり、前記スライドは、前記固定ガイドの形状との適合のためにフレキシブルなものであることを特徴とする請求項１ないし請求項１０のいずれか一項に記載のオープンルーフ構造体。
【請求項１２】
前記スライドは、フレキシブル材料から実質的に形成されていることを特徴とする請求項１１に記載のオープンルーフ構造体。
【請求項１３】
前記スライドは、垂直方向に延在するヒンジによって相互連結される前方および後方スライド部を具備してなることを特徴とする請求項１１に記載のオープンルーフ構造体。
【請求項１４】
前記スライドは、フレキシブルなガイドシューを具備してなることを特徴とする請求項１１に記載のオープンルーフ構造体。
【発明の詳細な説明】
【技術分野】
【０００１】
本発明は、固定ルーフ部分と、そこに設けられるルーフ開口と、ルーフ開口の開閉のために開ポジションと閉ポジションとのそれぞれの間を移動可能なパネルと、可動パネルを固定ルーフに連結しかつ固定ルーフに対して可動パネルが移動可能とするための作動機構とを備えており、このものにおいて、作動機構が可動パネルに取り付けられた二つの長手方向屈曲部と、ルーフ開口の対向する長手方向縁部に沿って延在する二つの固定ガイドと、固定ガイドを各屈曲部と可動状態で連結するための二つの連結手段と、を少なくとも備えている、車両のためのオープンルーフ構造体に関するものである。
【背景技術】
【０００２】
上記タイプの公知のオープンルーフ構造体において、固定ガイドはその全長にわたって平行に延在しており、かつ使用されるパネルのタイプ（例えばスポイラまたはトップスライダ）に応じて可動パネルに所望の作動シーケンスを与えるために連結手段と協働する。当該技術分野においては特定の特徴を備える多くの種類の連結手段が知られている。
【発明の概要】
【発明が解決しようとする課題】
【０００３】
本発明の目的は、上述したタイプの新規の改良されたオープンルーフ構造体を提供することである。
【課題を解決するための手段】
【０００４】
したがって、本発明によれば、車両のためのそうしたオープンルーフ構造体であって、固定ガイドが車両の上面から見て固定ガイド同士の間の距離が車両のさまざまな長手方向ポジションにおいて変化する様式で屈曲するよう設けられており、このものにおいて、各屈曲部が、可動様式で取り付けられかつ垂直方向に延在する枢軸の周囲でパネルに対して回転可能な枢軸アームに取り付けられている、オープンルーフ構造体が提供される。
【０００５】
屈曲固定ガイドを使用することによって、オープンルーフ構造体を車両の屋根の曲率に従うよう構成することができる。枢軸アームは、固定ガイドの屈曲形状にかかわらず、標準的な連結手段を基本的に使用できるように、固定ガイド同士の間の可変距離に関する補償を提供する。
【０００６】
本発明に基づくオープンルーフ構造体の好ましい実施形態において、固定ガイドは前方屈曲部と後方屈曲部とを備えており、このものにおいて、各枢軸は、可動パネルの閉状態においてかつ上面図として見たときに枢軸が実質的に各固定ガイドの後部と重なるように、可動パネルの後縁部に近接して配置されている。
【０００７】
そうした構成によって、オープンルーフ構造体の複雑さができる限り低減される。なぜなら、枢軸を、可動パネルがその閉ポジションと開ポジションとの間で移動する際に可動パネルに対して横方向に移動させる必要がなくなるからである。
【０００８】
本発明に基づくオープンルーフ構造体の他の実施形態において、枢軸に配置された枢軸アームの端部に対向する枢軸アームの自由端が、可動パネルに取り付けられた屈曲ガイドと協働する。
【０００９】
これによって、屈曲部の望ましくない動作を最小化するために、枢軸アームのポジション、ひいてはそれに取り付けられた屈曲部のポジションが安定化される。
【００１０】
例えば、枢軸アームの自由端および屈曲ガイドを、それらの間の垂直方向の相対的な動作を防止するように形状付けかつそのように協働させることができる。
【００１１】
本発明に基づくオープンルーフ構造体の他の実施形態において、枢軸アームの枢軸動作が付勢されるとき、可動パネルの安定ポジションは、カタカタ音の発生などの望ましくない現象が生じることないよう作用する。
【００１２】
可動パネルの正確なポジションは、これら枢軸アームの枢軸動作が関連させられるときに向上される。そうした関連は、多くの異なる方法（例えば機械的および／または電気的および／または空気力学的および／または水力的な方法）において発生してもよい。
【００１３】
枢軸アームの提供が、固定された屈曲ガイド同士の間の可変距離に対する作動機構の調節を可能にするにもかかわらず、枢軸アームの枢軸動作、ひいては屈曲部の枢軸動作は、場合によっては補償されるべき連結手段の部分同士の間の角度を付いた配置をもたらす。そうした補償を得るために、本発明はいくつかのオプションを提供する。
【００１４】
本発明に基づくオープンルーフ構造体の一実施形態において、平面図で見た場合に、屈曲部は、各固定ガイドの曲率に実質的に対応する様式で屈曲されている。これは、さまざまな方法、すなわち：屈曲部が垂直方向平面に延在する中央プレートと、それから横方向に延在し、得られる曲率に一致する可変幅を備えるガイドリブとを備えてもよいこと、代替的には、屈曲部が、得られる曲率に一致する屈曲平面上に延在する延在する中央プレートと、それから一定の幅で横方向に延在するガイドリブとを備えてもよいこと：によって実現されてもよい。いずれの場合においても、（平面図で見て：当然のことながら、屈曲部は横方向で見た場合に屈曲形状をすでに有している）屈曲部の屈曲形状は、枢軸アーム（および屈曲部）の枢軸動作にかかわらず効果的でありかつ（ほぼ）最適化された連結手段の部分同士の間での協働を可能にする。
【００１５】
本発明に基づくオープンルーフ構造体のさらに他の実施形態において、作動機構は、固定ルーフ部に回転可能に連結された屈曲部との協働のためのガイド爪をさらに備えている。回転可能性は、ガイド爪に、屈曲部の枢軸動されたポジションに合致する回転ポジションを利用するのに適した機会を与える。
【００１６】
上述したように、オープンルーフ構造体ならびに特にその連結手段は、多くのさまざまな形状で提供される。連結機構は、例えば固定ガイド内で移動するスライドをさらに備えてもよい。同時に、これらスライドを固定ガイドの形状に適合させるためにフレキシブルなものとすることができる。これは、スライドが実質的にフレキシブルな材料から形成される場合に得ることができる。その材料は、その形状が所望の適合を可能にするのに充分にフレキシブルな材料であり、さらに、引き伸ばされて使用される場合にそれと協働する連結手段の一部が作動中の応力に耐え得るよう充分に強度および靭性のある材料でなければならない。
【００１７】
代替例として、スライドは、垂直方向に延在するヒンジによって相互接続される前方および後方スライド部分を備えていてもよい。また、そうしたヒンジは適応性のある角度範囲を与える。
【００１８】
以下、本発明について図面を参照して説明する。
【図面の簡単な説明】
【００１９】
【図１】閉ポジションにある、本発明のオープンルーフ構造体の概略平面図である。
【図２】開ポジションにある、オープンルーフ構造体の概略平面図である。
【図３】本発明に基づくオープンルーフ構造体の実施形態の細部の概略拡大図である。
【図４】本発明に基づくオープンルーフ構造体の実施形態の細部の概略拡大図である。
【図５ａ】本発明に基づくオープンルーフ構造体の実施形態の細部の概略拡大図である。
【図５ｂ】本発明に基づくオープンルーフ構造体の実施形態の細部の概略拡大図である。
【図６】本発明に基づくオープンルーフ構造体の実施形態の細部の概略拡大図である。
【図７】本発明に基づくオープンルーフ構造体の実施形態の細部の概略拡大図である。
【発明を実施するための形態】
【００２０】
まず図１および図２を参照すると、車両のためのオープンルーフ構造体が概略的に平面図で示されている。これは、固定ルーフ部１と、そこに設けられるルーフ開口２と、ルーフ開口２の開閉のために閉ポジション（図１）と開ポジション（図２）とのそれぞれの間で移動可能なパネル３とを備えている。オープンルーフ構造体は、固定ルーフ２にパネル３を連結しかつ固定ルーフ２に対してパネルを移動させるための公知の作動機構をさらに備えている。作動機構は２つの長手方向屈曲部（図３ないし図７に示す）を少なくとも備えており、長手方向屈曲部は、可動パネル３と、ルーフ開口２の対向する長手方向縁部に沿って延在する２つの固定ガイド４および５と、固定ガイド４，５を各屈曲部に対して可動状態で連結するための二つの連結手段（図３および７にその一部を示す）とに取り付けられる。
【００２１】
図１および図２から明らかなように、固定ガイド４，５は、車両の上面から見て、固定ガイド同士の間の距離が車両のさまざまな長手方向部分で変化するような屈曲様式で延在している。ルーフ開口２がきっちりと車両の外形に追従する結果として、車両の美観的な外観が向上される。
【００２２】
図１および図２に示される実施形態において、固定ガイド４，５は、前方屈曲部４’，５’と後方平行部４”，５”とを備える。
【００２３】
可動パネル３は複数の枢軸アーム６を備えており（そのうちの１つのみが図示されており、他方は、中央線７の対向する側で鏡像となっている）、枢軸アーム６は、可動パネル３の後縁部９に近接して配置される枢軸８を有する。それによって、可動パネルに近接した位置においてかつ上面図として見たときに、枢軸８は、各固定ガイド４または５の後部４”，５”と重なる。後の図に示すように、各屈曲部は枢軸アーム６などに対して取り付けられる。
【００２４】
枢軸８に位置する枢軸６の端部に対向する枢軸アーム６の自由端１０は、可動パネル３に取り付けられた屈曲ガイド１１と協働する。好ましくは、枢軸アーム６の自由端１０および屈曲ガイド１１は、これらの間での垂直方向の相対動作を防止するような形状および協働をするようになっている。これは図３に示される。
【００２５】
付勢手段（図示せず）が枢軸８の回動動作の付勢のために設けられてもよい。さらに連結手段（図示せず）が枢軸アーム８の回動動作の連結のために設けられてもよい。
【００２６】
固定ガイド４，５の間の距離の変化によって、アーム８の回動動作はパネル３の移動と対応するようになる。（以後の図から明らかなように枢軸アーム６に取り付けられた）屈曲部の位置は、上記変化する距離に対応する位置を選択されてもよい。
【００２７】
図３には、連結手段および枢軸アームの一部の概略断面図を示す。枢軸アーム６は、その一端に枢軸８を備え、かつ対向する端部において可動パネル３の屈曲ガイド１１と協働するためのその自由端１０を備えるよう図示されている。自由端１０と屈曲ガイドとは嵌合する形状を有している。連結手段は、特に、公知の構成を有する屈曲部１２を備えている。この屈曲部１２は、（例えば枢軸アーム６のスルーホール１３を通るネジによって）枢軸アーム６に取り付けられてもよい。屈曲部１２は、（パネル３の種類およびその動作に基づいて）特定のガイドおよび連結手段１４および１５と協働するようになっており、連結手段１４および１５は、公知の様式（これに関するさらなる説明は省略する）で互いに協働しかつ固定ガイド４，５と協働するようになっている。
【００２８】
さらに図４には可動パネル３の枢軸アーム６に取り付けられた屈曲部１６が示される。ここでは連結手段は、固定ガイド４，５においてスライドするスライド１７と、公知の様式でスライド１７の動作を屈曲部１６の動作に、ひいてはパネル３の動作に関連付ける連結アーム１８，１９とをさらに備える。
【００２９】
続いて、枢軸アーム６が回動した際に屈曲部と各固定ガイド（あるいはそれと協働する連結手段の一部）との間に生じる回転配置状態を考慮した寸法の実施形態が示される。通常、これらの寸法は、平面から見た場合に、各固定ガイドの曲率に実質的に対応する様式で屈曲された屈曲部を提供する。（基本的に図３の矢印Ｖによる側から示された）図５には屈曲部１２’が示されており、屈曲部１２’は、垂直方向に延在する中央プレート２０と、それから水平方向に延在し、得られる曲率にしたがって幅が変化するガイドリブ２１を備える。図５ｂには代替例が示されており、このものにおいて、屈曲部１２”は、得られる曲率に従う屈曲平面状に延在する中央プレート２２と、それから横方向に延在して一定の幅を備えるガイドリブ２３とを備える。
【００３０】
本発明に基づくオープンルーフ構造体が、屈曲部１２との協働のためのガイド爪２４（固定ルーフ部１に取り付けられている）をさらに備えるとき、これらガイド爪２４は好ましくは（図６で矢印Ｒによって概略的に示される）固定ルーフ部に回転可能に連結されている。
【００３１】
図４に基づく実施形態において、スライド１７は、固定ガイド４，５の形状に適合させるためにフレキシブルなものであってもよい。一方で屈曲部１６が平面図で見たときに屈曲されるものであってもよい。
【００３２】
続いてスライダ１７は実質的に、図７に概略的に示されるようにフレキシブル材料から形成されても、あるいは、垂直方向延在ヒンジ２７によって相互接続される前方スライド部２５と後方スライド部２６とを備えていてもよい。
【００３３】
最終的に、スライダ１７はフレキシブルなガイドシューを備えることができる。
【００３４】
本発明は上記実施形態に限定されるものではなく、特許請求の範囲に記載された範囲内で幅広く変更されてもよい。
【符号の説明】
【００３５】
１  固定ルーフ部
２  ルーフ開口
３  可動パネル
４，５  固定ガイド
４’，５’  前方屈曲部
４”，５”  後方平行部
６  枢軸アーム
７  中央線
８  枢軸アーム
９  後縁部
１０  自由端
１１  屈曲ガイド
１２，１２’，１２”  屈曲部
１３  スルーホール
１４，１５  連結手段
１６  屈曲部
１７  スライド
１８，１９  連結アーム
２０  中央プレート
２１，２３  ガイドリブ
２２  中央プレート
２４  ガイド爪
２５  前方スライド部
２６  後方スライド部
２７  ヒンジ
【図１】
2011225213.tif 000003
【図２】
2011225213.tif 000004
【図３】
2011225213.tif 000005
【図４】
2011225213.tif 000006
【図５ａ】
2011225213.tif 000007
【図５ｂ】
2011225213.tif 000008
【図６】
2011225213.tif 000009
【図７】
2011225213.tif 000010
【外国語明細書】
2011225213.tif 000011
2011225213.tif 000012
2011225213.tif 000013
2011225213.tif 000014
2011225213.tif 000015
2011225213.tif 000016
2011225213.tif 000017
2011225213.tif 000018
2011225213.tif 000019
2011225213.tif 000020
2011225213.tif 000021
2011225213.tif 000022
2011225213.tif 000023
2011225213.tif 000024
2011225213.tif 000025
2011225213.tif 000026
2011225213.tif 000027